(57)【要約】【課題】電源を車搭載のシガレットライターを電源とするＤ／Ａ変換装置である。【解決手段】ブルートゥース対応の発信電波を受信する受信部と、この受信部で受信のディジタル信号をアナログ信号に変換するＤ／Ａ変換器と、Ｄ／Ａ変換器のアナログ信号を外部出力とするアナログ出力端子と、車に搭載のシガレットライターと接続して電源が供給される電源端子とを備えている。【選択図】図３
2010149582.tif 000002
【特許請求の範囲】
【請求項１】
ブルートゥース対応の発信電波を受信する受信部と、この受信部で受信のディジタル信号をアナログ信号に変換するＤ／Ａ変換器と、Ｄ／Ａ変換器のアナログ信号を外部出力とするアナログ出力端子と、
車に搭載のシガレットライタと接続して電源が供給される電源端子と、
を備えるＤ／Ａ変換装置。
【請求項２】
Ｄ／Ａ変換器のアナログ信号を増幅器を介してアナログ出力端子に供給する請求項１のＤ／Ａ変換装置。
【請求項３】
Ｄ／Ａ変換装置の左端部に形成の筒体の外周にネジを形成し、前記ネジに螺合するリング体でパネル等に挟着して固定する請求項１又は請求項２のＤ／Ａ変換装置。
【発明の詳細な説明】
【技術分野】
【０００１】
本願発明は、電源を車搭載のシガレットライターを電源とするＤ／Ａ変換装置に関する。
【背景技術】
【０００２】
この種の変換装置として、例えば特許文献１示す技術が既に知られている。この技術では、図６に示すオーディオシステム１０１が開示されており、このオーディオシステム１０１は、再生装置（特許文献１の例では、ＣＤプレーヤ）１０２と、アダプタ１１０と、車載アンテナ１０４と、ＦＭ受信機（例えば、ラジオ）１０３と、左右スピーカ１０３ａ、１０３ｂとから構成されている。
【０００３】
このアダプタ１１０は、ＦＭトランスミッタを内部に備えている。ＦＭトランスミッタは、ＣＤプレーヤ１０２の音声信号をＦＭ変調する信号変調回路と、ＦＭ搬送波を発生するキャリヤ発生器とを備えており、ＣＤプレーヤ１０２から出力される音声信号をラジオ１０３のＦＭ放送帯域の電波に変換して出力している。
【０００４】
そして、この電波は、車載アンテナ１０４で受信されるので、ラジオ１０３でこの電波の周波数をチューニングすることにより、ＣＤプレーヤ１０２の音声信号が左右のスピーカ１０３ａ、１０３ｂから出力されている。このようにして、自動車に設けられているラジオ１０３およびスピーカ１０３ａ、１０３ｂを利用してＣＤプレーヤ１０２を再生させることができる。
【特許文献１】特開平６−３０９８５４号公報
【発明の開示】
【発明が解決しようとする課題】
【０００５】
前記アダプタは、ＦＭトランスミッタを内部に備えていて、ＣＤプレーヤからのディジタル信号をＦＭ放送帯域の電波に変換して出力している。
しかし、車に搭載するカーステレオやナビゲータには、アナログ入力端子を備えているものがある。
そこで、車に搭載するカーステレオやナビゲータに使用でき、簡便に構成できる、電源を車搭載のシガレットライターを用いるＤ／Ａ変換装置を提供するものである。
【課題を解決するための手段】
【０００６】
請求項１のＤ／Ａ変換装置は、ブルートゥース対応の発信電波を受信する受信部と、この受信部で受信のディジタル信号をアナログ信号に変換するＤ／Ａ変換器と、Ｄ／Ａ変換器のアナログ信号を外部出力とするアナログ出力端子と、車に搭載のシガレットライターと接続して電源が供給される電源端子とを備えている。
このＤ／Ａ変換装置は、ブルートゥース対応の電波を受信し、ディジタル信号をＤ／Ａ変換器を介してアナログ信号とし、このアナログ信号を出力端子に出力すると共に、この出力端子とカーステレオ等に備えてあるアナログ入力端子に接続するとカーステレオ等で、前記ブルートゥース対応のディジタル信号を再生できる。
又、請求項２のＤ／Ａ変換装置は、Ｄ／Ａ変換器のアナログ信号を増幅器を介してアナログ出力端子に供給することによって、雑音に強う信号となる。
又、請求項３のＤ／Ａ変換装置は、リング体によってパネル等に挟着して、簡便に固定することができる。
【発明の効果】
【０００７】
本願のＤ／Ａ変換装置は、ブルートゥース対応のディジタル信号をアナログ信号として取り出すことができ、アナログの入力端子を備える機器に利用できる。
【発明を実施するための最良の形態】
【０００８】
本願発明を図を参照して説明すると、図１はＤ／Ａ変換装置をパネルに装着した図、Ｄ／Ａ変換装置の裏面図及び斜視図である。又、図２はＤ／Ａ変換装置のブロック図、図３はＤ／Ａ変換装置を使用概念図である。
Ｄ／Ａ変換装置１は、後述する回路を内蔵の４角状の筒体２であり、パネル３等に接合されるために左端部が円筒状の筒体２ａに形成してある。そして、前記筒体２ａの外周にはネジが形成してあり、パネル３等に挟着して、前記ネジに螺合するリング体５でネジ止めで固定して取り付ける。
【０００９】
又、前記筒体２の右側面には、車に搭載のシガレットライター（図示略）と接続して電源を確保するための電源端子７と、後記で詳述するアナログ出力端子８が設けられている。又、前記電源端子７とシガレットライターとは、各々の端子に接続可能な形状の端子７ａを備えたケーブル７ｂで行う。
一方、アナログ出力は、アナログ出力端子８ａ、ケーブル８ｂを介して、再生機器（カーステレオ等）に付設のアナログ入力端子に接続される。
【００１０】
次に、前記Ｄ／Ａ変換装置１の筒体内に内蔵の機器ブロックについて、図２を参照して説明する。
この機器ブロックは、ブルートゥース対応の発信電波を受信する受信部と、この受信部で受信のディジタル信号をアナログ信号に変換するＤ／Ａ変換器と、アナログ信号を増幅する増幅器とからなり、この増幅器の出力がアナログ出力端子に接続されて、外部出力としている。
又、前記受信部、Ｄ／Ａ変換器、増幅器の電源は、シガレットライターと接続して電源供給を受ける電源端子からの電力である。
尚、前記増幅器は必ずしも必要ではないし、この増幅器によって雑音に対処できるし、フィルタ機能を備えることによって高周波と低周波のカットによって音質を変えることができる。
【００１１】
次に、前記Ｄ／Ａ変換装置１の使用について説明する。
Ｄ／Ａ変換装置１の使用の一例として、図３に示し、Ｄ／Ａ変換装置１は、車内の、例えば、ダッシュボードのパネル３にリング体５でネジ止めで固定してある。
そして、このＤ／Ａ変換装置１を使用するに当たって、電源端子７にはケーブル７ｂを介してシガレットライター（図示略）に接続される。一方、アナログ出力端子８は再生装置（カーステレオ、カーナビ等）１０に設けられたアナログ入力端子に、接続端子８ｃを備えたケーブル８ｂを介して接続される。
又、前記電源端子７から電力は、受信部、Ｄ／Ａ変換器、増幅器にそれぞれ供給される。
そして、Ｄ／Ａ変換装置１は、ブルートゥース信号を受信し、Ｄ／Ａ変換器、増幅器を介して、アナログ信号をカーステレオ１０で再生する。
【００１２】
又、図４は、ブルートゥースを付設しない機器に対しても適用できる例示である。
例えば、ブルートゥースを付設の携帯電話２５から、音楽コードを発信すると、パネル等に付設のＤ／Ａ変換装置１は、前記音楽コード等のディジタル信号を受信部で受信し、そのディジタル信号はＤ／Ａ変換器でアナログ信号に変換される。
そして、そのアナログ信号を増幅器で増幅されてアナログ出力端子８に出力すると、このアナログ出力端子８からのアナログ信号は、ケーブルを介して再生装置（カーステレオ等）に接続すると、再生装置（カーステレオ、カーナビ等）で音楽を聴くことができる。
【００１３】
一方、ブルートゥースを付設しない機器に対しては、ディジタル信号をブルートゥース信号として発信させる変換ユニット２０を媒介として使用する。
このブルートゥースを付設しない機器２２、例えば、携帯電話やオーディオ等のディジタル出力信号をケーブルを介して変換ユニット２０に入力すると、このディジタル信号は、変換ユニット２０によって、ブルートゥース信号として発信される。
そして、このディジタルのブルートゥース信号は、Ｄ／Ａ変換装置１の受信部で受信され、そのディジタル信号をＤ／Ａ変換器でアナログ信号としてアナログ出力端子から出力し、このアナログ信号を再生装置（カーステレオ等）に接続して再生される。
【００１４】
以上のように、本願のＤ／Ａ変換装置１は、ディジタル信号をブルートゥース信号として発信させることができる変換ユニットがあれば、ブルートゥースを付設しない機器に対しても有用である。
【００１５】
又、図５は、車に付設のシガレットライターを使用するＵＳＢメモリユニット２８である。このＵＳＢメモリユニット２８は、シガレットライターに装着すると、電源が投入されると共に、ＵＳＢメモリを読み出して、そのディジタル信号をブルートゥース信号として発信させることができる。
そこで、このブルートゥースを介してのディジタル信号は、Ｄ／Ａ変換装置１の受信部で受信され、そのディジタル信号をＤ／Ａ変換器でアナログ信号に変換されて、このアナログ信号をカーステレオ等で再生する。
この様に、シガレットライターに装着して使用するＵＳＢメモリユニット２８に対しても、Ｄ／Ａ変換装置１を用いれば、ＵＳＢメモリに記憶の音楽コード（ディジタル）をアナログ信号として出力し、カーステレオ等で再生できる。
【００１６】
尚、Ｄ／Ａ変換装置１は、ディジタル信号をアナログ信号に変換して、アナログ信号として出力端子に出力して、有線で他の機器（カーステレオ等）に接続する構成であるが、Ｄ／Ａ変換装置１にＦＭ発信器を付設して、ＦＭラジオで受信可能に構成してもよい。
【図面の簡単な説明】
【００１７】
【図１】Ｄ／Ａ変換装置をパネルに取り付けた図、Ｄ／Ａ変換装置の裏面図及び斜視図である。
【図２】Ｄ／Ａ変換装置に内蔵のブロック図である。
【図３】Ｄ／Ａ変換装置を使用概念図である。
【図４】Ｄ／Ａ変換装置の適用概念図である。
【図５】Ｄ／Ａ変換装置を自動車のコンソールに取り付けた図である。
【図６】従来の変換装置のブロック図である。
【符号の説明】
【００１８】
１  Ｄ／Ａ変換装置
２  筒体
３  パネル
５  リング体
７  電源端子
８  アナログ出力端子
１０  カーステレオ
２０  変換ユニット
２５  携帯電話（ブルートゥース）
２８  ＵＳＢメモリユニット
【図１】
2010149582.tif 000003
【図２】
2010149582.tif 000004
【図３】
2010149582.tif 000005
【図４】
2010149582.tif 000006
【図５】
2010149582.tif 000007
【図６】
2010149582.tif 000008